(57)【特許請求の範囲】
【請求項１】
本体と、本体に取り付けられ、かつ、所定方向に回転することによって回転中心方向に前進し、逆方向に回転することによって回転中心方向に後退する回転部材とを電気的に接続するためのフレキシブルプリント基板の取付構造において、前記回転部材の外周面には、周面に沿って凹状に形成され、前記フレキシブルプリント基板が巻付可能である巻付部が設けられ、
前記フレキシブルプリント基板は、その一端が前記巻付部に設けられた固定部に固定されるとともに、前記固定部から所定の位置まで前記巻付部にほぼ接した状態で巻き付き、前記所定の位置において前記所定の位置から他端側に向かう先の部分が前記回転中心方向に沿うようにゆるやかに曲げられ、前記回転部材の後退時には、その後退動作と前記逆方向への回転に従って前記所定の位置が前記固定部から離れるように前記巻付部に巻き付いていき、前記回転部材の前進時には、その前進動作と前記所定方向への回転に従って前記所定の位置が前記固定部に近づいていくように前記巻付部から本体に向かって伸びていき、
前記回転部材の前進及び後退の際の回転に伴う前記巻付部の移動長さは、前記回転部材の前後への移動長さとほぼ等しいことを特徴とするフレキシブルプリント基板の取付構造。
【請求項２】
前記回転部材の外側には、本体に固定されている固定部材が設けられ、前記固定部材には、前記回転中心方向に貫通する貫通孔または溝が形成され、前記フレキシブルプリント基板の前記先の部分は、前記貫通孔または溝に通されていることを特徴とする請求項１記載のフレキシブルプリント基板の取付構造。
【発明の詳細な説明】
【０００１】
【発明の属する技術分野】
本発明は、フレキシブルプリント基板の取付構造に関する。
【０００２】
【従来の技術】
従来より、本体と、回転しながら本体等に対して出没自在に駆動される回転部材（例えば、レンズ鏡筒）とを有するカメラ等の光学製品が知られている。このような光学製品には、本体と回転部材とを電気的に接続するフレキシブルプリント基板が設けられている。フレキシブルプリント基板は、出没動作に対応できるように、つまりレンズ鏡筒であればレンズ鏡筒から本体にかけて光軸に沿って取り付けられている。
そして、回転部材が繰り出されている状態から繰り込まれる際に、フレキシブルプリント基板を、そのいずれかの箇所で逆方向に曲げて撓ませたり、あるいは回転部材や本体のいずれかの箇所に収納していた。
【０００３】
【発明が解決しようとする課題】
しかし、フレキシブルプリント基板を撓ませる場合、本体や回転部材に撓ませるためのスペースが必要であったり、撓ませた部分のフレキシブルプリント基板に光が当たることによって予期せぬ方向から光が走り、内面反射が生じ、画質が低下したりする問題点があった。
また、フレキシブルプリント基板を収納させる構造では、収納させるための機構を回転部材内あるいは本体等に設ける必要があり、コストアップにつながるという問題点があった。
【０００４】
本発明の課題は、光学製品の回転部材に設けられるフレキシブルプリント基板の取付構造に関して、回転部材の繰り込み時に、簡単な機構でコンパクトに、しかも内面反射を防止しつつフレキシブルプリント基板を収めることにある。
【０００５】
【課題を解決するための手段】
請求項１記載の発明は、例えば図１及び図２に示すように、
本体と、本体に取り付けられ、かつ、所定方向に回転することによって回転中心方向に前進し、逆方向に回転することによって回転中心方向に後退する回転部材（レンズ保持鏡筒１０）とを電気的に接続するためのフレキシブルプリント基板（１）の取付構造において、
前記回転部材の外周面には、周面に沿って凹状に形成され、前記フレキシブルプリント基板が巻付可能である巻付部（１４）が設けられ、
前記フレキシブルプリント基板は、その一端が前記巻付部に設けられた固定部（設置溝１５）に固定されるとともに、前記固定部から所定の位置まで前記巻付部にほぼ接した状態で巻き付き、前記所定の位置において前記所定の位置から他端側に向かう先の部分（後方部１ｂ）が前記回転中心方向に沿うようにゆるやかに曲げられ、前記回転部材の後退時には、その後退動作と前記逆方向への回転に従って前記所定の位置が前記固定部から離れるように前記巻付部に巻き付いていき、前記回転部材の前進時には、その前進動作と前記所定方向への回転に従って前記所定の位置が前記固定部に近づいていくように前記巻付部から本体に向かって伸びていき、
前記回転部材の前進及び後退の際の回転に伴う前記巻付部の移動長さは、前記回転部材の前後への移動長さとほぼ等しいことを特徴とするフレキシブルプリント基板の取付構造である。
【０００６】
請求項１記載の発明によれば、フレキシブルプリント基板の一端は回転部材の周面に沿って凹状に形成された巻付部に設けられた固定部に固定されている。そして、固定部から所定の位置までのフレキシブルプリント基板が巻付部にほぼ接した状態で巻き付き、所定の位置からフレキシブルプリント基板の他端側に向かうフレキシブルプリント基板の先の部分が回転中心方向に沿うようにフレキシブルプリント基板上の所定の位置がゆるやかに曲げられている。
回転部材の後退時には、その回転に従って所定の位置が固定部から離れるようにフレキシブルプリント基板が巻付部に巻き付き、前進時には、その回転に従って所定の位置が固定部に近づくようにフレキシブルプリント基板が巻付部から本体に向かって伸びていく。
【０００７】
つまり、回転部材の後退時には、余った長さ分のフレキシブルプリント基板を巻付部に巻き付けるようにして収めることができるため、回転部材のみを用いればよく、簡単な機構でフレキシブルプリント基板を収めることができる。また、余った長さ分のフレキシブルプリント基板は、回転部材に設けられた巻付部に収めることができるので、内面反射も防止できる。
また、回転部材の前進及び後退の際の回転に伴う巻付部の移動長さは、回転部材の前後への移動長さとほぼ等しいため、回転部材の移動長さに応じてフレキシブルプリント基板の巻付部に巻き付く長さ及び巻付部から本体に向かって伸びる長さが決まる。従って、フレキシブルプリント基板に余分な撓みができず、コンパクトにフレキシブルプリント基板を収めることができる。
【０００８】
請求項２記載の発明は、請求項１記載のフレキシブルプリント基板の取付構造において、前記回転部材の外側には、本体に固定されている固定部材（固定筒３０）が設けられ、前記固定部材には、前記回転中心方向に貫通する貫通孔または溝（挿通溝３３）が形成され、前記フレキシブルプリント基板の前記先の部分は、前記貫通孔または溝に通されていることを特徴とする。
【０００９】
請求項２記載の発明によれば、フレキシブルプリント基板の他端側に向かう先の部分を、本体に固定されている固定部材に形成された貫通孔または溝に通して本体にガイドしているため、予期せぬ方向からの光による内面反射も防止できる。
【００１０】
【発明の実施の形態】
以下、図面を参照して、本発明に係る実施の形態を説明する。
図１は、本発明に係るフレキシブルプリント基板の取付構造を適用したカメラの撮影レンズ１００を示す断面図であり、図２は、図１のレンズ保持鏡筒１０を示す斜視図である。
【００１１】
まず、撮影レンズ１００の構成を説明する。
図１に示すように、撮影レンズ１００は、レンズ保持鏡筒（回転部材）１０、ヘリコイド筒２０、固定筒（固定部材）３０、回転筒４０とから構成される。これら各部材は、全て略円筒状に形成されている。尚、符号５０はカメラのフィルム面を表す。
レンズ保持鏡筒１０内部には、前群レンズ１１ａと後群レンズ１１ｂとが取り付けられている。レンズ保持鏡筒１０と後群レンズ１１ｂとの間には、バネ１１ｃ、１１ｃが掛けられ、後群レンズ１１ｂと前群レンズ１１ａは、バネ１１ｃ、１１ｃによって互いに離れる方向に付勢されている。また、後群レンズ１１ｂにはコマ１２が取り付けられており、これがレンズ保持鏡筒１０に設けられている第１長孔１３を貫通し、後述のカム溝３２に臨んでいる。この第１長孔１３は、光軸方向（回転中心方向）に沿って設けられており、このため、後群レンズ１１ｂの移動方向が光軸方向に規制されている。
【００１２】
レンズ保持鏡筒１０の外周面には、周面に沿って凹状に形成され、フレキシブルプリント基板１が巻付可能である巻付部１４が設けられている。この巻付部１４には、図２に示すように、設置溝（固定部）１５が設けられている。この設置溝１５に巻付部１４の周方向に巻き付くことができるようにフレキシブルプリント基板１の一端が固定されている。
【００１３】
設置溝１５から所定の位置までのフレキシブルプリント基板１は巻付部１４にほぼ接した状態で巻き付き、この所定の位置からフレキシブルプリント基板１の他端側に向かうフレキシブルプリント基板１の後方部（先の部分）１ｂが光軸方向に沿うように、フレキシブルプリント基板１の所定の位置がゆるやかに曲げられて曲部１ａとなっている。
ここで、フレキシブルプリント基板１は可撓性を有する基板であるため、この特性を利用し、後述する繰り出し／繰り込み（前進／後退）動作に応じて曲部１ａがフレキシブルプリント基板１上のその位置を変化させることができる程度にフレキシブルプリント基板１はゆるやかに曲げられている。
【００１４】
また、図１に示すように、ヘリコイド筒２０はネジ２、２によってレンズ保持鏡筒１０に固定されており、その内周面には第１ヘリコイドネジ２１が設けられている。また、ヘリコイド筒２０の外周面の後端部には、ボス２２が設けられている。
レンズ保持鏡筒１０の外側でヘリコイド筒２０の内側において、固定筒３０はカメラ本体に固定されている。固定筒３０の外周面には、ヘリコイド筒２０の第１ヘリコイドネジ２１と螺合する第２ヘリコイドネジ３１が設けられている。また、固定筒３０の内周面に沿って、光軸方向に対して所定の角度をもって斜めに形成されたカム溝３２が設けられており、これにレンズ保持鏡筒１０の第１長孔１３を通して後群レンズ１１ｂのコマ１２が嵌合している。
さらに、固定筒３０内部には、光軸方向に貫通する挿通溝（貫通孔または溝）３３が設けられている。この挿通溝３３にフレキシブルプリント基板１の後方部１ｂが通されてカメラ本体にガイドされる。そして、フレキシブルプリント基板１の他端側は、カメラ本体の図示しない回路基板に電気的に接続される。
【００１５】
ヘリコイド筒２０の外側には、回転筒４０が回転可能な状態で設けられている。回転筒４０の内周面には、第２長孔４１が光軸方向に沿って設けられており、この第２長孔４１にヘリコイド筒２０の外周面に設けられたボス２２が係合している。また、回転筒４０の外周面の後端部には、カメラ本体の図示しない駆動回路等に接続されるギア部４２が設けられている。
回転筒４０は、この駆動回路等からの信号によってギア部４２が駆動されることにより回転する。
【００１６】
次に、撮影レンズ１００の動作を説明する。
まず、ヘリコイド筒２０及びレンズ保持鏡筒１０が繰り込まれた状態で、カメラ本体の図示しない駆動回路等によってギア部４２を介して回転筒４０を繰り出し方向（所定方向）に回転させると、その内周面の第２長孔４１も回転する。第２長孔４１はヘリコイド筒２０のボス２２と係合し、ヘリコイド筒２０の第１ヘリコイドネジ２１は固定筒３０の第２ヘリコイドネジ３１と螺合していることから、ヘリコイド筒２０は、回転筒４０の回転に従って回転するとともに、前進する。
これにより、ネジ２、２によってヘリコイド筒２０に固定されているレンズ保持鏡筒１０も回転するとともに、ヘリコイド筒２０に押されて前方へ繰り出される。
ここで、図１中の左側方向を前方、右側方向を後方とする。
また、レンズ保持鏡筒１０内部の後群レンズ１１ｂは、レンズ保持鏡筒１０の前進に伴ってバネ１１ｃ、１１ｃによりコマ１２を固定筒３０のカム溝３２の後方内面に押し付けつつ、カム溝３２を介して前群レンズ１１ａとの間隔を変えながら前方に直進する。
【００１７】
このように、レンズ保持鏡筒１０の繰り出し時には、図２において、レンズ保持鏡筒１０が繰り出し方向（Ａ方向）に回転するため、巻付部１４に巻き付いているフレキシブルプリント基板１は、曲部１ａが設置溝１５に近づいていくように巻付部１４から光軸方向に沿ってカメラ本体に向かって伸びていく。
このとき、曲部１ａは、レンズ保持鏡筒１０の繰り出しに伴って、設置溝１５に近づき、図２中のＣ方向にフレキシブルプリント基板１上におけるその位置を回転とともに変化させていく。
【００１８】
一方、ヘリコイド筒２０及びレンズ保持鏡筒１０が繰り出された状態で、カメラ本体の図示しない駆動回路等によって繰り出し方向とは逆の方向（繰り込み方向）に回転筒４０を回転させると、上記繰り出し時の動作とは逆の動作により、ヘリコイド筒２０及びレンズ保持鏡筒１０が後方へ繰り込まれる。
このように、レンズ保持鏡筒１０の繰り込み時には、図２において、レンズ保持鏡筒１０が繰り込み方向（Ｂ方向）に回転するため、光軸方向に沿っているフレキシブルプリント基板１は、曲部１ａが設置溝１５から離れるように巻付部１４に巻き付いていく。
このとき、曲部１ａは、レンズ保持鏡筒１０の繰り込みに伴って、設置溝１５から離れ、図２中のＤ方向にフレキシブルプリント基板１上におけるその位置を回転とともに変化させていく。
【００１９】
ここで、フレキシブルプリント基板１を取り付けたレンズ保持鏡筒１０の繰り出しあるいは繰り込みの際の回転に伴う巻付部１４の移動長さは、レンズ保持鏡筒１０の前後への移動長さと等しくなるように設定されている。
【００２０】
すなわち、繰り出し時では、巻付部１４のＡ方向への回転に伴って移動した長さ分だけレンズ保持鏡筒１０が前方へ繰り出される。このとき、巻付部１４に巻き付いている部分のフレキシブルプリント基板１は、Ａ方向への回転に従って巻付部１４からカメラ本体に向かって伸びていく。
つまり、巻付部１４のＡ方向への回転による移動長さにほぼ等しい長さのフレキシブルプリント基板１が巻付部１４からカメラ本体に向かって伸びていく。従って、巻付部１４からカメラ本体に向かって伸びていくフレキシブルプリント基板１の長さは、レンズ保持鏡筒１０が前方へ繰り出される長さとほぼ等しい。
【００２１】
一方、繰り込み時では、巻付部１４のＢ方向への回転に伴って移動した分だけレンズ保持鏡筒１０が後方へ繰り込まれる。このとき、光軸方向に沿っているフレキシブルプリント基板１は、Ｂ方向への回転に従って巻付部１４に巻き付いていく。
つまり、巻付部１４のＢ方向への回転による移動長さにほぼ等しい長さのフレキシブルプリント基板１が巻付部１４に巻き付いていく。従って、巻付部１４に巻き付くフレキシブルプリント基板１の長さは、レンズ保持鏡筒１０が後方へ繰り込まれる長さとほぼ等しい。
【００２２】
言い換えれば、繰り出し時では、レンズ保持鏡筒１０が繰り出された長さ分だけ巻付部１４に巻き付くフレキシブルプリント基板１の長さが減少し、その減少分だけ後方部１ｂの長さが増加し、逆に、繰り込み時では、レンズ保持鏡筒１０が繰り込まれた長さ分だけ巻付部１４に巻き付くフレキシブルプリント基板１の長さが増加し、その増加分だけ後方部１ｂの長さが減少する。
【００２３】
以上のフレキシブルプリント基板１の取付構造によれば、レンズ保持鏡筒１０の巻付部１４にフレキシブルプリント基板１の一端を、フレキシブルプリント基板１が巻付部１４の周方向に巻き付くことができるように設置溝１５に固定する。設置溝１５から所定の位置までのフレキシブルプリント基板１が巻付部１４にほぼ接した状態で巻き付き、この所定の位置からフレキシブルプリント基板１の他端側に向かう後方部１ｂが光軸方向に沿うように、フレキシブルプリント基板１上の所定の位置がゆるやかに曲げられて曲部１ａとなっている。
【００２４】
そして、レンズ保持鏡筒１０の繰り込み時には、曲部１ａが設置溝１５から離れるようにフレキシブルプリント基板１が巻付部１４に巻き付き、繰り出し時には、曲部１ａが設置溝１５に近づくようにフレキシブルプリント基板１が巻付部１４からカメラ本体に向かって伸びていく構造となっている。
【００２５】
すなわち、レンズ保持鏡筒１０の繰り込み時には、余った長さ分のフレキシブルプリント基板１を巻付部１４に巻き付けるようにして収めることができるため、レンズ保持鏡筒１０のみを用いればよく、簡単な機構でフレキシブルプリント基板１を収めることができる。また、余った長さ分のフレキシブルプリント基板１は、レンズ保持鏡筒１０に設けられた巻付部１４に収めることができるので、内面反射も防止できる。
加えて、フレキシブルプリント基板１の後方部１ｂは、固定筒３０内部の挿通溝３３に通されてカメラ本体にガイドされているため、予期せぬ方向からの光による内面反射も防止することができる。
【００２６】
また、レンズ保持鏡筒１０の繰り出し／繰り込みの際の回転に伴う巻付部１４の移動長さとレンズ保持鏡筒１０の前後への移動長さとが等しいため、レンズ保持鏡筒１０の移動長さに応じてフレキシブルプリント基板１の巻付部１４に巻き付く長さあるいは巻付部１４からカメラ本体に向かって伸びる長さが決まる。従って、フレキシブルプリント基板１に余分な撓みができず、コンパクトにフレキシブルプリント基板１を収めることができる。
【００２７】
本発明は、上記実施の形態に限定されるものではなく、種々の変形が可能である。
上記実施の形態では本発明を光学製品としてのカメラを用いたが、光学製品に関しては回転部材を有するものであればよく、例えば、望遠鏡などに本発明を用いてもよい。
【００２８】
【発明の効果】
請求項１記載の発明によれば、フレキシブルプリント基板の一端は回転部材の周面に沿って凹状に形成された巻付部に設けられた固定部に固定されている。そして、固定部から所定の位置までのフレキシブルプリント基板が巻付部にほぼ接した状態で巻き付き、所定の位置からフレキシブルプリント基板の他端側に向かうフレキシブルプリント基板の先の部分が回転中心方向に沿うようにフレキシブルプリント基板上の所定の位置がゆるやかに曲げられている。
回転部材の後退時には、その回転に従って所定の位置が固定部から離れるようにフレキシブルプリント基板が巻付部に巻き付き、前進時には、その回転に従って所定の位置が固定部に近づくようにフレキシブルプリント基板が巻付部から本体に向かって伸びていく。
【００２９】
つまり、回転部材の後退時には、余った長さ分のフレキシブルプリント基板を巻付部に巻き付けるようにして収めることができるため、回転部材のみを用いればよく、簡単な機構でフレキシブルプリント基板を収めることができる。また、余った長さ分のフレキシブルプリント基板は、回転部材に設けられた巻付部に収めることができるので、内面反射も防止できる。
また、回転部材の前進及び後退の際の回転に伴う巻付部の移動長さは、回転部材の前後への移動長さとほぼ等しいため、回転部材の移動長さに応じてフレキシブルプリント基板の巻付部に巻き付く長さ及び巻付部から本体に向かって伸びる長さが決まる。従って、フレキシブルプリント基板に余分な撓みができず、コンパクトにフレキシブルプリント基板を収めることができる。
【００３０】
請求項２記載の発明によれば、フレキシブルプリント基板の他端側に向かう先の部分を、本体に固定されている固定部材に形成された貫通孔に通して本体にガイドしているため、予期せぬ方向からの光による内面反射も防止できる。
【図面の簡単な説明】
【図１】本発明に係るフレキシブルプリント基板の取付構造を適用したカメラの撮影レンズを示す断面図である。
【図２】図１のレンズ保持鏡筒を示す斜視図である。
【符号の説明】
１      フレキシブルプリント基板
１ａ    折曲部
１ｂ    後方部（先の部分）
２、２    ネジ
１０    レンズ保持鏡筒（回転部材）
１１ａ    前群レンズ
１１ｂ    後群レンズ
１１ｃ、１１ｃ    バネ
１２    コマ
１３    第１長孔
１４    巻付部
１５    設置溝（固定部）
２０    ヘリコイド筒
２１    第１ヘリコイドネジ
２２    ボス
３０    固定筒（固定部材）
３１    第２ヘリコイドネジ
３２    カム溝
３３    挿通溝（貫通孔）
４０    回転筒
４１    第２長孔
４２    ギア部
５０    フィルム面
１００    撮影レンズ
【図１】
0004050533.tif 000002
【図２】
0004050533.tif 000003